(57)【要約】【課題】  操作部材の周囲から光が漏れ出して外観上の品位が損なわれることがない電子機器の光漏れ防止装置を安価に提供する。【解決手段】  操作部材５、６の側板部２２、２３が挿入される対向部材２８の溝部３１、３０、３２の内側に、操作パネル２の内方に向かうにしたがって操作部材５、６の内周側に向かう傾斜面２９ａ、２９ｂを形成することにより、光源３５を点灯したときに側板部２２、２３の先端面２５、２６から内方に向け漏れ出る光を、操作部材５、６の内周側に向けて反射することができる。よって、隙間２７ａ、２７ｂ、２７ｃから操作部材５、６の周囲に光が漏れ出ることがなく、品位が損なわれることを防止できる。【選択図】図２
2006294473.tif 000002
【特許請求の範囲】
【請求項１】
穴または切欠きからなる取付部が形成された操作パネルと、照光部を有し前記取付部から露出する操作部および該操作部の周縁に設けられ前記操作パネルの内方に向かって延びる側板部を備え前記取付部に装着される操作部材と、前記操作パネルの内方に前記側板部の端面と対向して設けられた対向部材と、前記操作パネルの内方に配置され前記操作部材の前記照光部を照らす光源と、が設けられた電子機器において、
前記対向部材の前記側板部の端面と対向する箇所には、前記操作パネルの内方に向かうにしたがって前記操作部材の内周側に向かう傾斜面が形成されていることを特徴とする電子機器の光漏れ防止装置。
【請求項２】
前記対向部材には前記側板部が入り込む溝部が形成され、前記側板部の端面が前記溝部の底面に対向しており、この溝部の底面に前記傾斜面が形成されていることを特徴とする請求項１記載の電子機器の光漏れ防止装置。
【請求項３】
前記側板部の側面には、前記操作パネルの内方に向かうにしたがって当該側板部の断面積が小さくなるようにテーパ面が形成されていることを特徴とする請求項１または２記載の電子機器の光漏れ防止装置。
【請求項４】
前記取付部内に、２以上の前記操作部材が前記側板部どうしを対面させて隣接して配置されており、前記傾斜面が各操作部材の隣接する前記側板部の端面と対向して山形状に連続して形成されていることを特徴とする請求項１ないし３のいずれかに記載の電子機器の光漏れ防止装置。
【請求項５】
前記傾斜面は、不連続の傾斜面から形成されていることを特徴とする請求項１ないし４のいずれかに記載の電子機器の光漏れ防止装置。
【発明の詳細な説明】
【技術分野】
【０００１】
本発明は、操作パネルに装着される操作部材の照光部が光源で照らされる電子機器に係り、特に操作部材の周囲からの光漏れを防止できる電子機器の光漏れ防止装置に関する。
【背景技術】
【０００２】
従来の電子機器の光漏れ防止装置として、下記特許文献１には、例えば車載用オーディオ機器の操作パネルに適用された光漏れ防止装置が開示されている。
【０００３】
特許文献１の図３には、その内方に導光部材１５、対向部材１６、および光源１４が設けられた操作パネル１１に押釦である操作部材２６、２９が装着された構成が開示されている。図３に示される操作部材２６、２９は、透明な樹脂材料からなる中空の押釦であり、その周縁には内方に延びる枠形状の側板部２６ｃ、２９ｃが一体に形成されている。操作部材２６、２９の外表面には、全体的に黒色や濃緑色などの遮光用の着色膜２６ａ、２９ａが塗装またはメッキにより形成されており、ユーザに操作される図面左側の表面には文字などがエッチング加工された照光部２６ｂ、２９ｂが設けられている。ただし、操作部材２６、２９の内表面と、塗装やメッキが技術的に困難である側板部２６ｃ、２９ｃの先端面２６ｄ、２９ｄには着色膜２６ａ、２９ａが形成されていない。
【０００４】
対向部材１６には、外方に開口する溝部Ｒが形成されており、この溝部Ｒ内の対向面１６ａ（溝部Ｒの底面）と内側面１６ｂとの両方、あるいは少なくとも対向面１６ａの表面には乱反射面が形成されている。この乱反射面は、対向部材１６を射出成形するための金型の表面にサンドブラスト加工することにより形成されている。操作部材２６、２９および対向部材１６の内方にはアクリル樹脂などの透光材料からなる導光部材１５が設置されており、この導光部材１５のさらに内方には、光源１４が装着された回路基板１３が設置されている。上記構成では、側板部２６ｃ、２９ｃのそれぞれが、溝部Ｒ内の内側面１６ｂと摺動自在に接触しており、また各側板部２６ｃ、２９ｃは互いに一定の隙間を保って配置されていることから、操作部材２６、２９は内外方向に進退動作可能となっている。
【０００５】
なお、各操作部材２６、２９の側板部２６ｃ、２９ｃの先端面２６ｄ、２９ｄには、外周側へ突出するフランジが設けられておらず、これにより、操作部材２６、２９の表面（ユーザ操作面）を互いに接近させて配置できるようになっている。
【０００６】
ところで、図３の構成では、光源１４の点灯により導光部材１５の端面１５ｂ、１５ｃが発光して照光部２６ｂ、２９ｂを照らすことができる一方、内表面側から操作部材２６、２９に入り込んだ光は、各側板部２６ｃ、２９ｃに導光され、先端面２６ｄ、２９ｄから内方に向かって漏れ出てしまう。
【０００７】
しかし、先端面２６ｄ、２９ｄから出射された光は、溝部Ｒ内の対向面１６ａと内側面１６ｂとの両方、あるいは対向面１６ａに形成された乱反射面にて反射されることによって減光される。そのため、先端面２６ｄ、２９ｄから出射された光が、側板部２６ｃと側板部２９ｃとの隙間から外方へ漏れ出て、操作部材２６、２９の周囲が明るくなることはない。
【特許文献１】特開２０００−２４７１６５号公報
【発明の開示】
【発明が解決しようとする課題】
【０００８】
ところで、特許文献１に開示された電子機器の光漏れ防止装置の場合、対向部材１６の対向面１６ａおよび内側面１６ｂに形成された乱反射面によって、先端面２６ｄ、２９ｄから出射された光を減光し、操作部材２６、２９の周囲の光漏れを抑制することは可能であるが、この光漏れを完全に防止することはできない。
【０００９】
また、昨今の車載用オーディオ機器などでは、操作性の向上を目的として操作部材やその照光部を大きくデザインする傾向にあり、照光部を照らす光源にはより高い輝度が求められるようになっている。
【００１０】
したがって、上記従来の電子機器の光漏れ防止装置の構成では、操作部材２６、２９の周囲の光漏れを充分に抑制することが困難となっている。
【００１１】
本発明は、上記従来の問題点を解決するものであり、操作パネルの内方に設けられた光源の光が外方へ漏れ出ることによって、操作部材の周囲が不所望に明るく光る問題を安価に解決できる電子機器の光漏れ防止装置を提供することを目的としている。
【課題を解決するための手段】
【００１２】
本発明は、穴または切欠きからなる取付部が形成された操作パネルと、照光部を有し前記取付部から露出する操作部および該操作部の周縁に設けられ前記操作パネルの内方に向かって延びる側板部を備え前記取付部に装着される操作部材と、前記操作パネルの内方に前記側板部の端面と対向して設けられた対向部材と、前記操作パネルの内方に配置され前記操作部材の前記照光部を照らす光源と、が設けられた電子機器において、前記対向部材の前記側板部の端面と対向する箇所には、前記操作パネルの内方に向かうにしたがって前記操作部材の内周側に向かう傾斜面が形成されていることを特徴とするものである。
【００１３】
上記構成では、光源から操作部材に与えられた光が、前記操作部材の内部を伝わり側板部の端面から操作パネルの内方に向け漏れ出ても、この光は対向部材に設けられた傾斜面によって操作部材の内周側に向けて反射されるため、操作部材の外周方向に光が不所望に漏れ出てしまうのを確実に抑制することができる。また、前記側板部の端面に遮光目的の塗装またはメッキなどの加工を施したり、遮光部材を別途配設する必要もないことから、前記操作部材の周囲からの光漏れを安価に防止することができる。
【００１４】
上記構成において、前記対向部材には前記側板部が入り込む溝部が形成され、前記側板部の端面が前記溝部の底面に対向しており、この溝部の底面に前記傾斜面が形成されている構成とすることができる。
【００１５】
このように対向部材に設けられた溝部に側板部が凹凸係合状態で入り込む構成とすれば、前記傾斜面にて反射された光が溝部の内部に閉じ込められ、さらに操作部材の周囲へ漏れ出にくいものとすることができる。
【００１６】
上記構成において、前記側板部の側面には、前記操作パネルの内方に向かうにしたがって当該側板部の断面積が小さくなるようにテーパ面が形成されていることが好ましい。
【００１７】
このように側板部をテーパ形状とすれば、前記側板部の端面の表面積を小さくすることができ、この端面から漏れ出る光を減少させることができる。
【００１８】
また、上記構成において、前記取付部内に、２以上の前記操作部材が前記側板部どうしを対面させて隣接して配置されており、前記傾斜面が各操作部材の隣接する前記側板部の端面と対向して山形状に連続して形成されているものとして構成することが可能である。
【００１９】
このように前記傾斜面を山形状に連続して形成すれば、複数の前記側板部の端面から漏れ出た光を各々の前記操作部材の内周側に向けて反射させることができると共に、複数の操作部材を、狭い間隔で密集して配置することができる。
【００２０】
上記構成において、前記傾斜面は、連続する１つの傾斜面でも良いが、同一方向に傾斜する不連続の複数の傾斜面から形成してもよい。
【発明の効果】
【００２１】
本発明は、操作パネルの内方に設けられた対向部材に、操作部材の側板部の端面から漏れ出た光を操作部材の内周側へ反射させる傾斜面を形成することにより、操作部材の周囲から光が不所望に漏れ出てしまうのを確実に、且つ安価に抑制することができる。
【発明を実施するための最良の形態】
【００２２】
図１は本発明における光漏れ防止装置を有する車載用電子機器のフロントノーズ部を示す部分正面図、図２は図１に示す車載用電子機器のＩ−Ｉ断面図、図３は図２のＡ部拡大図、図４は本発明の第２の実施の形態を示す部分断面図、図５は本発明の第３の実施の形態を示す部分断面図、図６は本発明の第４の実施の形態を示す部分断面図である。なお、図中の矢印Ｘ１−Ｘ２は後述する操作パネル２の内外方向を、矢印Ｙ１−Ｙ２は上下方向を示す。
【００２３】
図１および図２に示す車載用電子機器は、ＣＤやＤＶＤなどのディスクメディアに対して情報を記録および／または再生できるディスク駆動装置が本体シャーシ（図示せず）に内蔵され、この本体シャーシの前部にフロントノーズ部１が設置された構成となっている。そして、本体シャーシが車室内に設けられたイントゥルメントパネルに開口する収納穴に埋設され、フロントノーズ部１が車室内側に露出した状態で車両に設置されるものである。
【００２４】
図１に示すフロントノーズ部１は、主に合成樹脂などによって箱形に形成された操作パネル２を有している。この操作パネル２は正面から見て略長方形状であり、上記ディスク駆動装置からディスクメディアを挿排出するためのディスク挿入口３と、操作パネル２の内側に配設されたＬＣＤ（液晶表示装置）１５の表示部を露出する表示窓４および釦穴（取付部）９、１０が開口されている。この釦穴９、１０は上下方向に長い長方形の角穴であり、一方の釦穴９には一対の操作部材５、６が、他方の釦穴１０には一対の操作部材７、８がそれぞれわずかな隙間を介して装着されている。
【００２５】
図２には、釦穴９に装着された２つの操作部材５、６が示されている。この操作部材５、６は透明または乳白色など透光性のある合成樹脂によって形成されたものであり、前面には上下方向に長い略長方形状の操作部２０、２１を有し、その周縁には内方に延びる枠形状の側板部２２、２３が一体で形成された押釦である。この操作部材５、６において、操作部２０、２１の操作面側である表面２０ａ、２１ａおよび側板部２２、２３の表面側である表面２２ａ、２３ａには、黒色や濃灰色などの遮光性の着色膜２４ａ、２４ｂが塗装またはメッキされている。ただし、側板部２２、２３の先端面（Ｘ１側端面）２５、２６と内面２２ｂ、２３ｂ、および操作部２０、２１の裏面２０ｂ、２１ｂには着色膜２４ａ、２４ｂが形成されていない。
【００２６】
操作部２０、２１の表面２０ａ、２１ａには「ＡＭ  ＦＭ」「ＭＯＤＥ」などの文字や記号からなる照光部１１、１２が形成されている。この照光部１１、１２は、着色膜２４ａ、２４ｂがレーザーエッチング加工により部分的に除去され、その下地である表面２０ａ、２１ａが露出して形成されたものである。
【００２７】
なお、本実施の形態においては、４つの操作部材５、６、７、８は全て同一の形状となっているが、これらの操作部材の数や形状は特に限定されるものではない。
【００２８】
図２および図３に示すように、操作パネル２の内方には対向部材２８が配設されており、ネジ３９などの固定手段によって操作パネル２の裏面２ａに固定されている。
【００２９】
対向部材２８は、例えばポリアセタール樹脂などの遮光性と摺動性を有する黒色の合成樹脂によって形成されており、外方（Ｘ２側）に向けコの字型に開口する溝部３０、３１、３２を有する一体構造とされている。この溝部３０、３１、３２は、釦穴９に装着された操作部２０、２１の側板部２２、２３の各先端面２５、２６と対向する位置に設けられており、溝部３０には側板部２２の内面２２ｂが接触する摺動面３０ａが、溝部３２には側板部２３の内面２３ｂが接触する摺動面３２ａが形成されている。また、溝部３１は、一つの溝の中に側板部２２の内面２２ｂが接触する摺動面３１ａと、側板部２３の内面２３ｂが接触する摺動面３１ｂの２つの摺動面が設けられている。
【００３０】
図３に示すように、溝部３１の内側で側板部２２、２３の先端面２５、２６と対向した位置には傾斜面２９ａ、２９ｂが設けられており、各傾斜面２９ａ、２９ｂは、操作パネル２の内方（Ｘ１側）に向かうにしたがって、操作部材５の内周側へ向かう方向と操作部材６の内周側に向かう方向へ傾斜している。溝部３０および溝部３２には一つの傾斜面２９ａまたは傾斜面２９ｂが形成されているが、溝部３１は２つの側板部２２、２３が挿入される共通の溝であることから、２つの傾斜面２９ａ、２９ｂが山形状に連続して形成されている。このように２つの傾斜面２９ａ、２９ｂどうしを間隔無く山形状に形成することで、操作部材５と操作部材６との隙間２７ｂをより狭く設定することが可能になる。なお、傾斜面２９ａ、２９ｂそれぞれの表面は、平滑な光沢面（鏡面）であることが好ましい。
【００３１】
図２に示すように、操作パネル２の内方には、電球やＬＥＤ（発光ダイオード）などの光源３５が装着された回路基板３６が配設されており、この回路基板３６は、操作パネル２の裏面２ａに形成された取付ボス２ｂに、ネジ４０などの固定手段を介して固定されている。また、対向部材２８と回路基板３６との間には導光体３４が配設されており、この導光体３４も、操作パネル２の裏面２ａに形成された取付ボス２ｃに、ネジ４１などの固定手段を介して固定されている。この導光体３４は、アクリル樹脂などの透光材料により形成された導光部材であり、光源３５の発光部が入り込む半球状の凹穴からなる入光部３４ａと、操作部２０、２１の裏面２０ｂ、２１ｂに対向する発光面３４ｂ、３４ｃとが形成されている。
【００３２】
図２に示すように、本実施の形態においては、操作部材５、６が操作部２０、２１を操作パネル２の表面から外方に突出させた状態で対向部材２８に装着される。また、側板部２２、２３が対向部材２８の溝部３０、３１、３２によってがた付きなく且つ摺動自在に支持されることから、操作部材５、６は内外方向（Ｘ１−Ｘ２方向）に円滑に摺動動作することができる。
【００３３】
なお、操作部材５、６は、対向部材２８から脱落して操作パネル２の外方に抜け出さないように、例えば回路基板３６に装着されたスイッチ（図示せず）のアクチュエータ部にこの操作部材５、６が圧入されるなどして、抜け止めされている。また、他の操作部材７、８も操作部材５、６と同様の構成にて対向部材に支持されている。
【００３４】
各操作部材５、６、７、８は、図示しない弾性部材によって外方に向けて付勢されており、この付勢力に抗して、各操作部材５、６、７、８を押圧操作することにより、スイッチの状態が切り替えられて所望の機能をＯＮ、ＯＦＦすることができるようになっている。
【００３５】
次に、上記電子機器の光漏れ防止装置の照光動作について図２および図３を用いて説明する。
【００３６】
光源３５の点灯によって発せられた光は、入光部３４ａから入射し導光体３４の内部を進行した後、発光面３４ｂ、３４ｃから外方に向け出射される。この出射された光は、操作部２０、２１の裏面２０ｂ、２１ｂから操作部材５、６の内部に入射し、そのまま外方に向かって進行した光により、照光部１１、１２に形成された文字や記号が明るく照らし出される。
【００３７】
一方、操作部材５、６の内部に入射した光の一部は、外方に向かって進行せずに、側板部２２、２３の内部を導光されて進行し、着色膜２４ａ、２４ｂが形成されていない先端面２５、２６から、内方（Ｘ１側）に向かって出射される。
【００３８】
しかし、本実施の形態によれば、先端面２５、２６から出射した光を傾斜面２９ａ、２９ｂにて反射させ、操作部材２０、２１それぞれの内周側へと導くことができる。そのため先端面２５、２６から出射した光は、隙間２７ａ、２７ｂ、２７ｃへ向かうことがなく、操作部材５、６の周囲から光が外方へ向けて不所望に漏れ出てしまうことがない。
【００３９】
また、従来のように溝部３０、３１、３２の内面にサンドブラスト加工などによって乱反射面を形成する必要がないことから、各溝部３０、３１、３２の摺動面３０ａ、３１ａ、３１ｂ、３２ａの表面を平滑な面とすることができるため、操作部材５、６の内外方向への摺動を円滑に行うことができる。
【００４０】
なお、本実施の形態では、各操作部材５、６、７、８が対向部材２８に摺動自在に支持されている例を示したが、操作部材５、６、７、８が操作パネル２自体に押圧操作可能に支持されていても良い。
【００４１】
次に、本発明の、他の実施の形態について説明する。なお、図４〜６にて示す第２〜４の実施の形態は、前記第１の実施の形態における側板部２２、２３または傾斜面２９ａ、２９ｂの変形例である。そのため側板部２２、２３および傾斜面２９ａ、２９ｂ以外の構成に関しては第１の実施の形態と同様であることから、同一の符号を付して詳細な説明は省略する。
【００４２】
図４に示す第２の実施の形態では、側板部２２、２３の側面に、操作パネル２の内方に向かうにしたがって、側板部２２、２３の断面積が小さくなるようにテーパ面４５ａ、４５ｂが形成されている。このようなテーパ面４５ａ、４５ｂを設けることで、先端面４６ａ、４６ｂの表面積を小さくすることができ、この先端面４６ａ、４６ｂから内方に向かって漏れ出る光の量を減少させることができる。
【００４３】
次に、図５に示す第３の実施の形態では、傾斜面の形状を内外方向において段差を有する不連続の傾斜面５０ａ、５０ｂとしている。このように、傾斜面の形状が同一方向に傾斜する不連続の複数の傾斜面であっても、先端面２５、２６から出射した光を操作部材の内周側へ反射させる機能を果たすことができる。
【００４４】
次に、図６に示す第４の実施の形態では、溝部３１の内側において、傾斜面５５、５６の外側に凹状の溝部５７、５８が形成されている。このような溝部５７、５８を設けることにより、先端面２５、２６から出射した光が、傾斜面５５、５６にて反射された後、矢印Ｂ、Ｃ、Ｄのごとく、溝部５７、５８の内壁５７ａ、５８ａにて反射を繰り返し、溝部５７、５８の奥側である底面５９ａ、５９ｂに向かって進行させられることから、先端面２５、２６からの出射光が隙間２７ｂから外方へ漏れ出ることを、さらに防止することができる。
【００４５】
なお、上記各実施の形態において、操作部材は押圧操作されるものに限らず、ロータリ式の回転つまみなどであっても良い。
【図面の簡単な説明】
【００４６】
【図１】本発明における光漏れ防止装置を有する車載用電子機器のフロントノーズ部を示す部分正面図。
【図２】図１に示す車載用電子機器のＩ−Ｉ断面図。
【図３】図２のＡ部拡大図。
【図４】本発明の第２の実施の形態を示す部分断面図。
【図５】本発明の第３の実施の形態を示す部分断面図。
【図６】本発明の第４の実施の形態を示す部分断面図。
【符号の説明】
【００４７】
１                      フロントノーズ部
２                      操作パネル
５、６、７、８          操作部材
９，１０                釦穴
２０、２１              操作部
２２、２３              側板部
２５、２６              先端面
２７ａ、２７ｂ、２７ｃ  隙間
２８                    対向部材
３０、３１、３２        溝部
３４                    導光体
３５                    光源
【図１】
2006294473.tif 000003
【図２】
2006294473.tif 000004
【図３】
2006294473.tif 000005
【図４】
2006294473.tif 000006
【図５】
2006294473.tif 000007
【図６】
2006294473.tif 000008